(57)【特許請求の範囲】
【請求項１】
トナー像が形成される像担持体と、
記録材を担持して搬送する記録材担持体と、
吸着バイアスが印加されて、前記記録材を前記記録材担持体に吸着する吸着部材と、
前記像担持体上の前記トナー像を前記記録材担持体上の前記記録材に転写する転写帯電手段と、
前記記録材上の前記トナー像を加熱して、前記記録材へ定着する定着手段とを備え、
前記吸着及び前記転写及び前記定着を経て第１面にトナー像が形成された記録材を再び前記吸着部材へ搬送し、前記第１面の反対側の第２面にトナー像が形成されるように、前記記録材担持体へ吸着する画像形成装置において、
前記第２の面にトナー像を形成するために記録材を前記記録材担持体に吸着する際には、前記吸着バイアスを前記記録材の搬送方向に直交する方向の幅に応じて変更し、前記第１の面にトナー像を形成するために記録材を前記記録材担持体に吸着する際には、前記幅に応じた前記吸着バイアスの変更を行わないことで、前記吸着バイアスを制御することを特徴とする画像形成装置。
【請求項２】
前記第２の面にトナー像を形成する際に、前記記録材の幅が狭いほど、前記吸着部材に印加する吸着バイアスを大きくする請求項１の画像形成装置。
【請求項３】
前記像担持体から前記記録材担持体に担持された記録材に複数色のトナー像が順次形成される請求項１又は２記載の画像形成装置。
【請求項４】
前記像担持体を複数備え、前記複数の像担持体から前記記録材担持体上に担持された記録材に複数色のトナー像が順次形成される請求項１〜３のいずれかの項に記載の画像形成装置。
【請求項５】
前記吸着部材に印加する吸着バイアスを定電流制御した請求項１〜４のいずれかの項に記載の画像形成装置。
【発明の詳細な説明】
【０００１】
【発明の属する技術分野】
本発明は、電子写真方式を利用して画像を記録材上に形成して、ハードコピーを得る複写機、ファクシミリ、プリンタ等の画像形成装置に関するものである。
【０００２】
【従来の技術】
従来、複数の画像形成部を備え、各画像形成部でそれぞれ色の異なったトナー像を形成し、そのトナー像を同一記録材上に順次重ね合わせて転写して、記録材にカラー画像を形成する画像形成装置が種々提案されている。このような状況のなかで、無端状の記録材担持体を用いた多色電子写真方式のカラー複写機が高速記録に用いられている。
【０００３】
このカラー画像形成装置は、ベルト状記録材担持体である転写ベルトに沿って、イエロー、マゼンタ、シアン、ブラックの４色の画像形成部が配設され、各画像形成部に設置された像担持体としての感光ドラムに対し、１次帯電、像露光および現像の工程を経て各色のトナー像を形成し、そのトナー像を、転写ベルトに吸着して各画像形成部の感光ドラムと対向した転写部に順次搬送される記録材上に重ね合わせて転写し、ついで４色のトナー像が転写された記録材を転写ベルトから分離した後、トナー像を定着して記録材にフルカラーの定着画像を得るものである。
【０００４】
転写ベルトは、ポリエチレンテレフタレート樹脂（ＰＥＴ）やポリフッ化ビニリデン樹脂、ポリウレタン樹脂などの誘電体樹脂のシートからなっており、その両端部を互いに重ね合わせて接合し、エンドレス形状にしたものか、あるいは継ぎ目を有しない（シームレス）ベルトが用いられている。
【０００５】
記録材は記録材カセットから取り出され、複数の搬送ローラおよびレジストローラを経て転写ベルト上に供給され、吸着帯電手段が設置された記録材吸着部において、吸着帯電手段に印加した吸着バイアスにより転写ベルトに静電的に吸着される。
【０００６】
【発明が解決しようとする課題】
ところで、記録材の吸着帯電手段には、コロナ放電器のような非接触帯電器、または導電性のブレード、ローラ、ブラシのような帯電部材を使用した接触帯電器が用いられる。
【０００７】
たとえば吸着帯電手段が導電性ローラ（吸着ローラ）からなる場合、記録材は転写ベルトに供給された後、吸着部に転写ベルトを挟んで対置した上下の吸着ローラにより記録材が転写ベルトとともに挟持されつつ、一方の吸着ローラに印加した吸着バイアスの作用により静電的に吸着される。
【０００８】
しかしながら、小サイズの記録材を吸着しようとすると、吸着バイアスが記録材以外の部分に逃げて、記録材と転写ベルトの吸着に関与する電荷が減少し、記録材の吸着が不十分となって、記録材の搬送不良や転写不良などの問題を発生することがあった。
【０００９】
本発明の目的は、記録材のサイズによらずに、記録材を記録材担持体に安定して静電吸着して搬送し、吸着不良や転写不良を生じることなく記録材に良好に画像形成することを可能とした画像形成装置を提供することである。
【００１０】
【課題を解決するための手段】
上記目的は本発明に係る画像形成装置にて達成される。要約すれば、本発明は、
トナー像が形成される像担持体と、
記録材を担持して搬送する記録材担持体と、
吸着バイアスが印加されて、前記記録材を前記記録材担持体に吸着する吸着部材と、
前記像担持体上の前記トナー像を前記記録材担持体上の前記記録材に転写する転写帯電手段と、
前記記録材上の前記トナー像を加熱して、前記記録材へ定着する定着手段とを備え、
前記吸着及び前記転写及び前記定着を経て第１面にトナー像が形成された記録材を再び前記吸着部材へ搬送し、前記第１面の反対側の第２面にトナー像が形成されるように、前記記録材担持体へ吸着する画像形成装置において、
前記第２の面にトナー像を形成するために記録材を前記記録材担持体に吸着する際には、前記吸着バイアスを前記記録材の搬送方向に直交する方向の幅に応じて変更し、前記第１の面にトナー像を形成するために記録材を前記記録材担持体に吸着する際には、前記幅に応じた前記吸着バイアスの変更を行わないことで、前記吸着バイアスを制御することを特徴とする画像形成装置である。
【００１１】
本発明によれば、前記第２の面にトナー像を形成する際に、前記記録材の幅が狭いほど、前記吸着部材に印加する吸着バイアスを大きくする。また、本発明によれば、前記像担持体から前記記録材担持体に担持された記録材に複数色のトナー像が順次形成される。前記像担持体を複数備え、前記複数の像担持体から前記記録材担持体上に担持された記録材に複数色のトナー像が順次形成される。また、前記吸着部材に印加する吸着バイアスを定電流制御する。
【００１２】
【発明の実施の形態】
以下、本発明に係る実施例を図面に則して更に詳しく説明する。
【００１３】
実施例１
図１は、本発明の画像形成装置の一実施例を示す断面図である。本装置は、４色のフルカラー電子写真記録装置に構成されている。
【００１４】
図１に示すように、装置内には、ベルト状記録材担持体として、駆動ローラ１３、テンションローラ１４、１５に掛け回された転写ベルト１３０が設置され、転写ベルト１３０に沿って第１、第２、第３、第４の画像形成部Ｐａ、Ｐｂ、Ｐｃ、Ｐｄが並設され、各画像形成部Ｐａ〜Ｐｄで、潜像形成、現像、転写のプロセスを経て各々異なった色のトナー像が形成される。
【００１５】
画像形成部Ｐａ、Ｐｂ、Ｐｃ、Ｐｄは、それぞれ専用の像担持体、本例では電子写真感光ドラム３ａ、３ｂ、３ｃ、３ｄを具備し、感光ドラム３ａ、３ｂ、３ｃ、３ｄの外周には、それぞれ露光ランプ１１１ａ、１１１ｂ、１１１ｃ、１１１ｄ、ドラム帯電器２ａ、２ｂ、２ｃ、２ｄ、電位センサー１１３ａ、１１３ｂ、１１３ｃ、１１３ｄ、現像器１ａ、１ｂ、１ｃ、１ｄ、転写帯電器（転写ブレード）２４ａ、２４ｂ、２４ｃ、２４ｄ、およびクリーナ４ａ、４ｂ、４ｃ、４ｄが設けられ、装置の上方にはさらに図示しない光源装置およびポリゴンミラー１１７が設置されている。
【００１６】
光源装置から発せられたレーザー光をポリゴンミラー１１７で回転して走査し、その走査光の光束を反射ミラーによって偏向し、ｆθレンズにより各感光ドラム３ａ、３ｂ、３ｃ、３ｄの母線方向に集光して露光することにより、各感光ドラム３ａ、３ｂ、３ｃ、３ｄ上に画像信号に応じた静電潜像が形成される。
【００１７】
現像器１ａ、１ｂ、１ｃ、１ｄには、現像剤としてそれぞれシアン、マゼンタ、イエロー、ブラックのトナーが、図示しない供給装置により所定量充填されている。現像器１ａ、１ｂ、１ｃ、１ｄは、それぞれ感光ドラム３ａ、３ｂ、３ｃ、３ｄ上の潜像を現像して、シアントナー像、マゼンタトナー像、イエロートナー像、ブラックトナー像として可視化する。各感光ドラム３ａ、３ｂ、３ｃ、３ｄ上の各色のトナー像は、転写ベルト１３０上に吸着して搬送される記録材Ｐ上に重ね合わせて転写される。
【００１８】
記録材Ｐは記録材カセット１０に収容されており、そこから複数の搬送ローラおよびレジストローラ１２、搬送路６６等を経て転写ベルト１３０上に供給され、吸着部に設置された上下の吸着ローラ５、６により転写ベルト１３０に静電吸着され、転写ベルト１３０による搬送で感光ドラム３ａ、３ｂ、３ｃ、３ｄと対向した転写部に順次送られる。
【００１９】
さて、駆動ローラ１３により転写ベルト１３０が回転し、所定の位置にあることが確認されると、記録材Ｐがレジストローラ１２から転写ベルト１３０に送り出され、第１画像形成部Ｐａの転写部へ向けて搬送される。これと同時に画像書き出し信号がオンとなり、それを基準としてあるタイミングで第１画像形成部Ｐａの感光ドラム３ａに対し画像形成を行う。
【００２０】
そして感光ドラム３ａの下側の転写部で転写帯電器２４ａが電界または電荷を付与することにより、感光ドラム３ａ上に形成された第１色目のトナー像が記録材Ｐ上に転写される。この転写により記録材Ｐは転写ベルト１３０上に静電吸着力でしっかりと担持され、第２画像形成部Ｐｂ以降に搬送される。
【００２１】
転写帯電器２４（２４ａ〜２４ｄ）には、コロナ放電器のような非接触帯電器、または導電性のブレード、ローラ、ブラシのような帯電部材を用いた接触帯電器を使用する。非接触帯電器では、オゾンが発生することや、空気を介して帯電するため大気の温湿度環境変動に弱く、画像が安定して形成されない等の問題がある。接触帯電器にはこのような問題がなく、オゾンレス、温湿度環境変動に強い、高画質等のメリットがある。
【００２２】
本実施例では、転写帯電器として転写ブレード２４を使用し、転写ブレード２４（２４ａ〜２４ｄ）に印加する転写バイアスを、転写電流１０μＡの定電流制御とした。プロセススピードは１００ｍｍ／秒とした。
【００２３】
第２〜第４画像形成部Ｐｂ〜Ｐｄでの画像形成、転写も、第１画像形成部Ｐａと同様に行われる。ついで４色のトナー像を転写された記録材Ｐは、転写ベルト１３０の搬送方向下流部で分離帯電器３２により除電して静電吸着力を減衰させることにより、転写ベルト１３０の末端から離脱する。転写ベルト１３０から離脱した記録材Ｐは、搬送部６２により定着装置９へ搬送される。
【００２４】
定着装置９は、定着ローラ５１、加圧ローラ５２と、その各々をクリーニングする耐熱性クリーニング部材５４、５５と、ローラ５１、５２内に設置された加熱ヒータ５６、５７と、定着ローラ５１にジメチルシリコーンオイル等の離型剤オイルを塗布する塗布ローラ５０と、そのオイル溜め５３と、加圧ローラ５２の表面の温度を検知して定着温度を制御するサーミスタ５８とから構成されている。
【００２５】
４色のトナー像を転写された記録材Ｐは、定着によりトナー像の混色および記録材Ｐへの固定が行われ、フルカラーのコピー画像に形成され、排紙トレイ６３に排出される。
【００２６】
転写が終了した感光ドラム３ａ、３ｂ、３ｃ、３ｄは、それぞれのクリーナ４ａ、４ｂ、４ｃ、４ｄにより転写残りトナーをクリーニング、除去され、引き続きつぎの潜像の形成以下に備えられる。転写ベルト１３０上に残留したトナーおよびその他の異物は、転写ベルト１３０の表面にクリーニングウエブ（不織布）１９を当接して、拭い取るようにしている。
【００２７】
以上が片面画像形成工程である。本画像形成装置は、両面画像形成が可能であり、片面画像形成モードの他に両面画像形成モードを備えている。
【００２８】
両面画像形成工程は、片面画像形成工程で定着を終了した記録材Ｐを排紙トレイ６３に排出せずに搬送路６４に送り、ついでスイッチバックして両面搬送路６５に送った後、搬送路６６を経て再び転写ベルト１３０に搬送する。転写材Ｐは、転写ベルト１３０にトナー像が定着された表面（１面目）側が接するように置かれ、以後、片面プリント工程と同様にして、記録材Ｐの裏面（２面目）にトナー像が転写され、定着されて排出される。
【００２９】
また、本画像形成装置は、フルカラー画像形成の他に黒単色の画像形成が可能となっており、カラー画像形成モードの他に、黒単色画像形成モードを有している。
【００３０】
カラー画像形成モードでは、上記のように、イエロー、マゼンタ、シアン、ブラックの画像形成部Ｐａ〜Ｐｄで画像形成して、４色の画像を記録材上で重ねるのに対し、黒単色画像形成モードでは、ブラックの画像形成部Ｐｄのみで画像形成し、他の色の画像形成部Ｐａ〜Ｐｃでは画像形成をしない。この黒単色画像形成モードを設定することにより、コピーのスループット（生産性）を向上させたり、他色の画像形成部の耐久性を保つことができる。
【００３１】
転写ベルト１３０の誘電体シート素材としては、ポリエチレンテレフタレート（ＰＥＴ）、ポリアセタール、ポリアミド、ポリビニルアルコール、ポリエーテルケトン、ポリスチレン、ポリブチレンテレフタレート、ポリメチルペンテン、ポリプロピレン、ポリエチレン、ポリフェニレンスルフィド、シリコーン樹脂、ポリアミドイミド、ポリカーボネート、ポリフェニレンオキシド、ポリエーテルスルホン、ポリサルフォン、芳香族ポリエステル、ポリエーテルイミド、芳香族ポリイミドなど、エンジニアリングプラスチックのフィルム形状シートが一般的に用いられる。
【００３２】
本実施例では、機械特性、電気的特性および難燃性等の点からポリイミド樹脂を採用し、導電性フィラーを添加して使用した。その体積抵抗率は１０15Ωｃｍ、厚さは１００μｍで、シームレスタイプである。
【００３３】
吸着帯電手段は、上記したように、上下の吸着ローラ５、６からなっている。下ローラ６は、芯金に導電性ゴムをコートして構成され、転写ベルト１３０の裏面側（内側）に当接設置されている。下ローラ６には吸着バイアス印加用の高圧電源が接続されている。上ローラ５は転写ベルト１３０の表面側に下ローラ６と対向して当接設置されている。上ローラ５は下ローラ６の対向極となるもので、金属ローラから構成され、接地されている。
【００３４】
記録材が転写ベルト１３０に供給されると、高圧電源が下ローラ６に吸着バイアスを印加し、これと同時に上ローラ５、下ローラ６が転写材を転写ベルト１３０ごと挟んで、転写材を転写ベルト１３０に静電吸着させる。
【００３５】
つぎに小サイズ記録材の吸着について説明する。図２に記録材吸着部の断面図を示す。
【００３６】
図２に示すように、吸着部において転写ベルト１３０上の記録材Ｐは、吸着帯電手段である上下の吸着ローラ５、６に挟持されている。この吸着下ローラ６に高圧電源７０から吸着バイアスを印加したときに、吸着部に流れる吸着電流をＩ［μＡ］、記録材Ｐの幅をＷ［ｃｍ］、プロセススピードをｖ［ｃｍ／秒］とすると、記録材Ｐ上の面電荷密度ρ［μＣ／ｃｍ2］は、
ρ＝Ｉ／（Ｗ×ｖ）
となる。
【００３７】
記録材上にこの面電荷密度ρが一定以上となる電荷を付与することによって、記録材の転写ベルト１３０への吸着が安定的に行なわれる。
【００３８】
小サイズの記録材を通紙した場合にも、吸着を適性に行うためには、記録材上の面電荷密度は、最大サイズ記録材を通紙した場合と同等以上でなければならない。図３（ａ）に小サイズ記録材を通紙したときの吸着部を、図３（ｂ）にその吸着部の等価回路を示して説明する。
【００３９】
図３（ａ）に示すように、吸着部において、小サイズの記録材Ｐが位置する通紙部に流れる電流をＩｐ［μＡ］、記録材Ｐが存在しない非通紙部に流れる電流をＩｑ［μＡ］とし、記録材幅をｐ［ｃｍ］、非通紙部の幅をｑ［ｃｍ］、吸着ローラ対の帯電幅をｔ［ｃｍ］とすると、
ρ＝Ｉｐ／（ｐ×ｖ）＝Ｉ／（ｔ×ｖ）
を満たさなければならない。ただし、帯電幅ｔはｔ≒Ｗ、つまり最大サイズの記録材幅Ｗとほぼ同じとしている。
【００４０】
しかし、図３（ｂ）の等価回路に示されるように、通紙部は記録材（紙）自体の抵抗が存在するため、非通紙部に比べてインピーダンスが高くなる。そのため通紙部に流れる単位面積あたりの電流も非通紙部に比べて小さく、つまり記録材上の面電荷密度も非通紙部に比べて小さくなる。このため、記録材上の面電荷密度は不十分となって吸着力が下がってしまい、記録材の搬送性が悪くなり、紙詰まりなどの問題が起きてしまう。
【００４１】
つまり、実際は、
Ｉｑ／（ｑ×ｖ）＞Ｉ／（ｔ×ｖ）＞Ｉｐ／（ｐ×ｖ）
となり、通紙部は面電荷密度不足、非通紙部は面電荷密度過剰となる。
【００４２】
この現象は、特に低湿環境下（たとえば２３℃、５％ＲＨ）で乾燥して高抵抗になった記録材を吸着する場合に発生しやすい。一般に記録材の体積抵抗率は、種類や温湿度条件によって約１×１０7〜１×１０14Ωｃｍ程度まで変化する。しかし、転写ベルトは誘電体樹脂のシートからなり、その体積抵抗率は温湿度条件によっても１〜３桁程度しか変化しない。また添加剤により抵抗調整された体積抵抗率の低いタイプの転写ベルトでは、さらにこの現象が発生しやすくなる。
【００４３】
このように小サイズ記録材を通過させると、抵抗の小さい非通紙部に多くの電流が流れ、通紙部に流れる電流が不足して吸着不良を生じる。低湿環境下で記録材は非常に高い体積抵抗率となるが、そのような場合でも、最大サイズ記録材上の面電荷密度と同等以上にしなければ、上記の吸着不良が発生してしまう。
【００４４】
吸着における小サイズ記録材上の面電荷密度を最大サイズの記録材と同等以上とする必要があるのは、面積が小さい小サイズ記録材の方が記録材上の総電荷量が少なく、絶対的な吸着力が小さいからである。このため、小サイズ紙の方が面電荷密度を上げた方がよい場合もある。そこで、本発明では、吸着電流の記録材幅による制御を行った。
【００４５】
本発明において、記録材の吸着力の測定は図４に示すように行った。まず、通常の画像形成時と同様に、記録材Ｐを転写ベルト１３０に吸着して搬送し、記録材Ｐが転写ベルト１３０の末端に至って分離し始めたところで、転写ベルト１３０の回転を停止する。このとき記録材が転写ベルトに張り付いている長さｄが一定となるように回転を停止する。この状態で記録材Ｐの先端に紐Ｓを介してフォースゲージＦＧ（バネ計りでも可）を繋ぎ、記録材Ｐの移動方向に記録材が剥がれるまで引っ張る。記録材が転写ベルトから剥がれる瞬間にフォースゲージＦＧの値はピークを示し、このフォースゲージのピーク値を吸着力と定義する。
【００４６】
本実施例における吸着電流の記録材幅による制御を図５により説明する。図５（ａ）は比較例（Ｒｅｆ）の場合であり、従来のように、記録材の幅（スラスト幅、すなわち転写ベルトによる搬送方向と直交する方向の記録材の幅）によらずに、吸着電流を５．０μＡ一定とした。
【００４７】
図５（ｂ）は本発明の場合であり、図５（ｂ）中の傾斜した直線Ａは、記録材幅の最大値２９７ｍｍのときの吸着電流を５．０μＡ、１００ｍｍのときを１０．０μＡとして、その間を記録材幅が減少するにしたがって比例させて吸着電流を直線的に上げている。傾斜した直線Ｂは、記録材幅２９７ｍｍのときの吸着電流を５．０μＡ、１００ｍｍのときを１５．０μＡとして、直線Ａのときと同様、記録材幅の減少に対し吸着電流を直線的に上げている。
【００４８】
階段状の折れ線Ｃは、記録材幅２９７〜２５０ｍｍのときの吸着電流を５．０μＡ、２５０〜２００ｍｍのときを７．０μＡ、２００〜１５０ｍｍのときを９．０μＡ、１５０〜１００ｍｍのときを１１．０μＡとしており、記録材幅の減少に対し吸着電流を段階的に増加させている。曲線Ｄは、記録材幅２９７ｍｍのときの吸着電流を５．０μＡ、１００ｍｍのときを１１．０μＡとして、その間を記録材幅の減少に対し吸着電流を下に凸の曲線的に増加させている。
【００４９】
以上の吸着電流条件で吸着力を測定した結果を表１に示す。
【００５０】
【表１】
0003833050.tif 000002
【００５１】
表１に示されるように吸着電流を記録材幅によらずに一定としている従来例（Ｒｅｆ）は、記録材の幅が小さくなるにつれて吸着力は５分の１程度まで落ちている。これに対し、本発明では、記録材幅の減少に比例させて吸着電流を増加させるように制御したので、Ａ〜Ｄのいずれの制御法の場合も、はがきのような小サイズ紙であっても、１９．６Ｎ（２ｋｇｆ）以上の吸着力を示している。
【００５２】
本実施例では、以上のように、吸着帯電手段に印加するバイアスを記録材幅に応じて変更するようにしたので、十分な吸着力が得られ、記録材の搬送不良やそれにともなう画像不良を抑制することができた。
【００５３】
以上では、吸着バイアスを転写ベルトの内側から印加したが、外側から印加してもよい。また吸着帯電手段は帯電ローラに限られない。
【００５４】
実施例２
実施例１では、記録材Ｐを転写ベルト１３０に静電吸着する際、吸着帯電手段に印加するバイアスの吸着電流を記録材幅に対し制御したが、画像形成は記録材の一方の表面にのみ行う片面画像形成であった。
【００５５】
しかし、実施例１で使用した図１の画像形成装置は、前述したように、片面画像形成モードの他に両面画像形成モードを備え、記録材の両面に画像形成が可能である。本実施例では、図１の画像形成装置で両面画像形成を行う際、１面目の画像形成時に、吸着電流の記録材幅に対する制御なしで記録材Ｐを吸着し、２面目の画像形成時は、実施例１のように、吸着電流を記録材幅制御して記録材Ｐを吸着した。
【００５６】
記録材の平面性は１面目ではよく、小サイズ記録材であっても、転写ベルト１３０による記録材の吸着、搬送にそう問題がないが、そのような記録材でも一度、定着装置９を通った記録材は、平面性が悪化してカールしている場合が多く、２面目でのみ記録材の吸着不良が発生することがある。
【００５７】
前記した表１のＡ’は本実施例の場合の吸着力で、２面目の吸着力を実施例１のＡと同じ吸着電流条件で測定したものである。この結果、本実施例のように、２面目の画像形成時にも同様に、吸着電流の記録材幅に対する制御を行うことにより、小サイズ記録材を十分な吸着力で転写ベルト１３０に吸着して、２面目に画像形成を行うことができる。
【００５８】
実施例３
実施例１では、記録材Ｐに４色フルカラーの画像を形成したが、実施例１で使用した図１の画像形成装置は、前述したように、フルカラー画像形成モードの他に、黒単色画像形成モードを備えている。
【００５９】
本実施例は、図１の画像形成装置の画像形成モードに応じて、吸着帯電手段の記録材幅制御を切り換えるようにしたことが特徴である。
【００６０】
フルカラー画像形成モードでは、吸着電流だけでなく４色の転写電流が記録材と転写ベルトに付加されるので、記録材と転写ベルトとの吸着力はより大きくなって、転写ベルトに対する記録材の吸着不良は発生しにくい。しかし、黒単色画像形成モードでは、吸着電流しか記録材と転写ベルトにかからないので、フルカラー画像形成モードに比べると吸着力は小さくなり、記録材の吸着不良が発生しやすい。
【００６１】
先の表１のＢ’は本実施例の場合の吸着力で、黒単色画像形成モードでの吸着力を実施例１のＢと同じ吸着電流条件で測定したものである。この結果、本実施例のように、黒単色画像形成モード時にも、吸着電流の記録材幅に対する制御を行うことにより、小サイズ記録材を十分な吸着力で転写ベルト１３０に吸着して、記録材に黒単色の画像形成を行うことができる。
【００６２】
以上、本発明の実施例１〜３を説明したが、実施例で掲げた吸着電流の数値はあくまでも一例で、最適な吸着電流は記録材の種類によって適宜変更可能なものであり、また画像形成装置が複数のプロセススピードの画像形成モードを備えている場合には、そのモードに応じて最適な吸着電流を変更してもよい。
【００６３】
像担持体は電子写真感光体に限らず、静電記録における誘電体であってもよい。また記録材担持体は転写ベルトでなく、転写ドラムであってもよい。
【００６４】
現像手段としては、一般に、非磁性トナーについてはブレード等でスリーブ上にコーティングし、磁性トナーについては磁気力によってスリーブ上にコーティングし、そのトナーを像担持体と対向した現像部に搬送して、トナーを像担持体に対し接触状態で現像する１成分接触現像方法と、像担持体に対し非接触状態で現像する１成分非接触現像方法と、トナーに対し磁性キャリアを混合したものを現像剤として用い、磁気力によってスリーブに担持し、その現像剤を現像部に搬送して、像担持体に対し接触状態で現像する２成分接触現像方法と、像担持体に対し非接触状態で現像する２成分非接触現像方法の４種類に大別される。本発明では、現像手段はそれらのいずれであってもよい。画像の高画質化や高安定性の面から、２成分接触現像法が多用されている。
【００６５】
【発明の効果】
以上説明したように、本発明によれば、記録材のサイズによらずに、２面目の画像形成時においても記録材を記録材担持体に安定して静電吸着して搬送し、吸着不良や転写不良を生じることなく記録材に良好に画像形成することが可能となる。
【図面の簡単な説明】
【図１】本発明の画像形成装置の一実施例を示す断面図である。
【図２】図１の画像形成装置の記録材吸着部を示す断面図である。
【図３】小サイズ記録材を吸着するときの記録材吸着部およびその等価回路を示す図である。
【図４】本発明で行った記録材の吸着力の測定法を示す説明図である。
【図５】図１の実施例における吸着電流の記録材幅による制御法を従来例と対比して示す説明図である。
【符号の説明】
３ａ〜３ｄ      感光ドラム
５    吸着上ローラ
６    吸着下ローラ
２４ａ〜２４ｄ  転写ブレード
７０    吸着用高圧電源
１３０  転写ベルト
Ｐ      記録材
【図１】
0003833050.tif 000003
【図２】
0003833050.tif 000004
【図３】
0003833050.tif 000005
【図４】
0003833050.tif 000006
【図５】
0003833050.tif 000007